(57)【要約】【課題】スクリューシャフトのネジ溝に対してピックアップユニット側の係合部材を常に適正な係合状態に確保することができるディスク再生装置を得ることにある。【解決手段】ピックアップユニット８をターンテーブル５に対する接近・離間方向へ移動自在に支持するピックアップガイド軸６と、このピックアップガイド軸６との平行位置に配置されて回転駆動されるピックアップ送り用のスクリューシャフト１０と、ピックアップユニット８に設けられて前記スクリューシャフト１０に係合し、当該スクリューシャフト１０の回転駆動によりネジ送りされる係合部材１３とを有するピックアップ移動機構を備え、前記スクリューシャフト１０のネジ溝に対する前記係合部材１３の係合度合いを調整するための係合度合い調整手段１４を前記ピックアップユニット８に設けたものである。【選択図】図１
2007234108.tif 000002
【特許請求の範囲】
【請求項１】
ディスク再生用のピックアップユニットをディスク載置用のターンテーブルに対する接近・離間方向へ移動自在に支持するピックアップガイド軸と、このピックアップガイド軸との平行位置に配置されて回転駆動されるピックアップ送り用のスクリューシャフトと、前記ピックアップユニットに設けられて前記スクリューシャフトに係合し、当該スクリューシャフトの回転駆動によりネジ送りされる係合部材とを有するピックアップ移動機構を備えたディスク再生装置において、
前記スクリューシャフトのネジ溝に対する前記係合部材の係合度合いを調整するための係合度合い調整手段を前記ピックアップユニットに設けたことを特徴とするディスク再生装置。
【請求項２】
係合度合い調整手段は、スクリューシャフトのネジ溝に係合する係合突起が形成されてピックアップユニットに一体的に設けられた係合部材に螺合され、この係合部材における前記係合突起の形成部位を背面側から押圧変位させる調整ネジからなっていることを特徴とする請求項１記載のディスク再生装置。
【請求項３】
係合度合い調整手段は、スクリューシャフトのネジ溝に係合する係合突起が形成された係合部材を前記スクリューシャフトに対する接近・離間方向へ移動調整可能にピックアップユニットに取り付ける係合部材取付手段からなっていることを特徴とする請求項１記載のディスク再生装置。
【請求項４】
係合度合い調整手段は、スクリューシャフトのネジ溝に係合する係合突起が形成されてピックアップユニットに設けられた係合部材を前記ネジ溝に対する係合突起の係合方向に付勢する弾性部材と、この弾性部材による前記係合部材への付勢力を調整する付勢力調整手段とからなっていることを特徴とする請求項１記載のディスク再生装置。
【発明の詳細な説明】
【技術分野】
【０００１】
この発明は、ネジ送り式のピックアップ移動機構を備えたディスク再生装置に関するものである。
【背景技術】
【０００２】
従来の例えば車載用のディスク再生装置においては、ディスク再生用のピックアップユニットをディスク載置用のターンテーブルに対する接近・離間方向へ移動自在に支持するピックアップガイド軸と、このピックアップガイド軸との平行位置に配置されて回転駆動されるピックアップ送り用のスクリューシャフト（リードスクリュー）と、前記ピックアップユニットに一体的に設けられて前記スクリューシャフトのネジ溝に係合し、当該スクリューシャフトの回転によりネジ送りされる係合部材とからなるピックアップ移動機構を備えている（例えば、特許文献１）。
【０００３】
ここで、前記係合部材として板バネを適用し、この板バネに一体形成された係合突起を当該板バネの付勢力によって前記スクリューシャフトのネジ溝に係合させる構成としたものもある。このように板バネの付勢力だけで係合突起を前記ネジ溝に係合させたのでは、部品寸法のばらつきやピックアップの傾き調整等により前記スクリューシャフトとピックアップガイド軸との相対位置が変化することによって前記板バネの付勢力が変化し、これにより、前記ネジ溝に対する前記係合突起の係合状態（係合度合い）にバラツキが生じてピックアップガイド軸にかかる側圧の負荷変動が大きくなるため、前記スクリューシャフトを低トルクモータ（例えば、ステッピングモータ）で駆動する構成とした場合、前記負荷変動によってピックアップの送り動作が不安定になるという課題があった。
【０００４】
また、前述のような板バネの付勢力の変動を抑制するために、その付勢力を大きく設定すると、前記スクリューシャフトの回転トルクが大きくなるため、当該スクリューシャフトの駆動源として通常はパワーモータを適用し、このパワーモータによりギア機構を介してスクリューシャフトを回転駆動するようにしているが、この場合、前記ギア機構によってメカニズムが大型化し、小型化を図ったメカニズムでは前記ギア機構の据え付けスペースの確保が困難になると共に、ピックアップの位置出し制御に問題が生じるという課題があった。
【０００５】
そこで、特許文献１では、ピックアップユニットのベースに基端が固着されてスクリューシャフト側に延びる係合部材の先端側に凹状部を形成し、この凹状部の外側壁に形成された係合突起をスクリューシャフトのネジ溝に係合させ、この状態で前記凹状部に間隙形成部材を嵌着することにより、スクリューシャフトに過剰な付勢力をかけずに前記ネジ溝に対する係合突起の係合を確保するようにしている。
【０００６】
【特許文献１】特開２００５−１７４５０２号公報（［０１００］〜［０１０７］、図１３〜図１５）
【発明の開示】
【発明が解決しようとする課題】
【０００７】
特許文献１のディスク再生装置は以上のように構成されているので、係合部材の凹状部に嵌着された間隙形成部材によって、スクリューシャフトの回転駆動時における当該スクリューシャフトのネジ溝と係合突起との係合が外れる歯飛びを防止することは可能であるが、前記ネジ溝に対する前記係合突起の係合度合いを調整することができず、このため、部品寸法のばらつきやピックアップの傾き調整等により前記スクリューシャフトとピックアップガイド軸との相対位置が変化し、これにより、前記ネジ溝に対する係合突起の適正な係合状態を確保することが困難となってピックアップの送り動作が不安定になるという課題があった。
【０００８】
この発明は上記のような課題を解決するためになされたもので、部品寸法のばらつきやピックアップの傾き調整等によりスクリューシャフトとピックアップガイド軸との相対位置が変化した場合でも、スクリューシャフトのネジ溝に対してピックアップユニット側の係合部材を常に適正な係合状態に確保することができるディスク再生装置を得ることを目的とする。
【課題を解決するための手段】
【０００９】
この発明に係るディスク再生装置は、ディスク再生用のピックアップユニットをディスク載置用のターンテーブルに対する接近・離間方向へ移動自在に支持するピックアップガイド軸と、このピックアップガイド軸との平行位置に配置されて回転駆動されるピックアップ送り用のスクリューシャフトと、前記ピックアップユニットに設けられて前記スクリューシャフトに係合し、当該スクリューシャフトの回転駆動によりネジ送りされる係合部材とを有するピックアップ移動機構を備えたディスク再生装置において、前記スクリューシャフトのネジ溝に対する前記係合部材の係合度合いを調整するための係合度合い調整手段を前記ピックアップユニットに設けたものである。
【発明の効果】
【００１０】
この発明によれば、スクリューシャフトのネジ溝に係合する係合部材の係合度合いを調整できるように構成したので、部品寸法のばらつきやピックアップの傾き調整等によりスクリューシャフトとピックアップガイド軸との相対位置が変化した場合でも、スクリューシャフトのネジ溝に対してピックアップユニット側の係合部材を常に適正な係合状態に確保することができ、このため、前述のようなスクリューシャフトとピックアップガイド軸との相対位置の変化によるスクリューシャフトの負荷変動を小さく抑制することができ、ピックアップの正確な送り動作を低トルクモータによるスクリューシャフトの駆動によって実現することができるという効果がある。
【発明を実施するための最良の形態】
【００１１】
実施の形態１．
図１はこの発明の実施の形態１によるディスク再生装置を天板除去状態で示す斜視図、図２は図１中のディスク再生ユニットを示す斜視図、図３は図２を裏側から見た斜視図、図４はピックアップ移動機構の要部を示す斜視図である。
図１に示す車載用のディスク再生装置は、前面にディスク挿排口１ａを有する装置筐体１と、この装置筐体１内におけるディスク挿排口１ａ側に配置されたディスク搬送機構２と、前記装置筐体１内のディスク再生位置に配置されてスピンドルモータ４で回転駆動されるディスク載置用のターンテーブル５が組み付けられた再生ユニット３とを備えている。
【００１２】
前記再生ユニット３には、平行する一対のピックアップガイド軸６，７（片方のピックアップガイド軸７は図３参照）を介して前記ターンテーブル５に対する接近・離間方向へ移動自在に支持されたピックアップユニット８と、前記一方のピックアップガイド軸６との平行位置に配置されて低トルクモータ９で回転駆動されるスクリューシャフト（ピックアップ送り軸）１０とが組み付けられている。また、前記一方のピックアップガイド軸６の軸方向一端部には、当該ピックアップガイド軸６を介して前記ピックアップユニット８の傾きを高さ方向に調整するためのピックアップ調整機構１１が配置されている。さらに、前記他方のピックアップガイド軸７にあっても、当該ピックアップガイド軸７を介して前記ピックアップユニット８の傾きを高さ方向に調整するためのピックアップ調整機構１２（図３参照）を備えている。
【００１３】
前記ピックアップユニット８のベース部には、前記スクリューシャフト１０に係合して当該スクリューシャフト１０の回転時に軸方向へネジ送りされる係合部材（ラック部材）１３が設けられている。この係合部材１３は、図４に示すように、基端部が前記ピックアップユニット８のベース部に固着されて当該ピックアップユニット８から前記スクリューシャフト１０に近くづく方向へ延びるブロック部材からなっている。このような係合部材１３の先端部には、前記スクリューシャフト１０に側方（水平方向）から近接する屈曲片部１３ａが形成され、かつ当該屈曲片部１３ａには前記スクリューシャフト１０のネジ溝に係合する係合突起（ラック爪）１３ｂが一体形成されている。ここで、前記屈曲片部１３ａは前記スクリューシャフト１０に対する接近・離間方向へ弾性（撓み）変形可能となっているものである。
【００１４】
そして、前記係合部材１３には、スクリューシャフト１０のネジ溝に対する前記係合突起１３ｂの係合度合いを調整するための係合度合い調整手段１４が設けられている。この係合度合い調整手段１４は、スクリューシャフト１０に対するピックアップガイド軸６の水平方向への位置ずれ矯正手段を兼ねるものである。この実施の形態１において、前記係合度合い調整手段１４は、前記係合部材１３の腹部に斜め上方から螺合させて先端を前記屈曲片部１３ａの背面に当接させた調整ネジ１４からなっており、この調整ネジ１４を緊締・弛緩操作することにより、前記スクリューシャフト１０のネジ溝に対する係合突起１３ｂの係合度合いを調整可能にすると共に、前記ピックアップガイド軸６の水平方向への位置ずれを矯正できるようにしたものである。
【００１５】
次に動作について説明する。図５（Ａ）〜図５（Ｃ）は動作説明図である。
ディスク再生装置の組立後において、ピックアップユニット８が高さ方向に傾いている場合、ピックアップガイド軸６，７のそれぞれが備えているピックアップ調整機構１１，１２によって前記ピックアップユニット８の傾きが調整させる。その調整後において、ピックアップガイド軸６とスクリューシャフト１０との相対位置が適正に確保され、かつスクリューシャフト１０のネジ溝に対して係合部材１３の係合突起１３ｂが適正に係合している状態を図５（Ａ）に示す。
【００１６】
前記ピックアップユニット８の高さ方向への傾き調整後において、スクリューシャフト１０側のピックアップガイド軸６が前記スクリューシャフト１０から離れる水平方向に位置ずれしていると、前記スクリューシャフト１０のネジ溝と当該ネジ溝に係合している前記係合突起１３ｂとの間にガタが生じて当該係合突起１３ｂの適正な係合状態を確保できなくなるので、この場合、図５（Ｂ）に示すように、調整ネジ１４を締め付け操作することにより、前記ネジ溝に対する係合突起１３ｂの係合度合いを調整する。すなわち、前記調整ネジ１４を締め付け操作すると、当該調整ネジ１４の先端部で前記係合部材１３の屈曲片部１３ａが背面側から押圧変位させられることにより、前記ネジ溝に対して係合突起１３ｂをガタが生じない適正な係合状態に調整することができると共に、前記スクリューシャフト１０に対するピックアップガイド軸６の水平方向への位置ずれを矯正することができる。
【００１７】
また、前記ピックアップガイド軸６がスクリューシャフト１０の近づく水平方向に位置ずれすると、前記ネジ溝に対する係合突起１３ｂの係合力が過剰となるため、この場合、図５（Ｃ）に示すように、前記調整ネジ１４を弛めることで、前記係合突起１３ｂの過剰係合を解除して当該係合突起１３ｂを前記ネジ溝に対して適性な係合状態に調整することができると共に、前記スクリューシャフト１０に対する水平方向への位置ずれを矯正することができる。
【００１８】
以上説明した実施の形態１によれば、ピックアップユニット８に一体的に設けられスクリューシャフト１０側に延びて当該スクリューシャフト１０のネジ溝に係合させる係合部材１３の先端部に、前記スクリューシャフト１０の側方から当該スクリューシャフト１０に接近・離間する方向へ弾性変形可能な屈曲片部１３ａを形成し、この屈曲片部１３ａの外側に一体形成した係合突起１３ｂを前記スクリューシャフト１０のネジ溝に側方から係合させると共に、そのネジ溝に対する前記係合突起１３ｂの係合度合い調整手段として、前記係合部材１３に当該係合部材１３の屈曲片部１３ａの背面側を押圧変位可能な調整ネジ１４を螺合するように構成したので、ディスク再生装置の組立後において、部品寸法のばらつきやピックアップ調整機構１１，１２によるピックアップの傾き調整等によってスクリューシャフト１０に対するピックアップガイド軸６の相対位置が水平方向に変化した場合であっても、前記調整ネジ１４の緊締・弛緩操作によって前記屈曲片部１３ａを変位させることにより、前記ネジ溝に対する係合突起１３ｂの係合度合いを適正に調整することができる。このため、前記ネジ溝に対する係合突起１３ｂの過剰係合や係合不足を防止することができ、スクリューシャフト１０とピックアップガイド軸６との相対位置の変化による前記スクリューシャフト１０の負荷変動を小さく抑制することができると共に、低トルクモータ９によるスクリューシャフト１０の回転駆動によってピックアップユニット８の正確な送り動作を実現できるという効果がある。
【００１９】
実施の形態２．
図６はこの発明の実施の形態２によるディスク再生装置の要部を示す斜視図であり、図１〜図５と同一部分には同一符号を付して重複説明は省略する。
前記実施の形態１では、スクリューシャフト１０のネジ溝に対する係合部材１３の係合度合い調整手段として、ピックアップユニット８に基端部が固着された係合部材１３に調整ネジ１４を螺合し、この調整ネジ１４で前記係合部材１３の屈曲片部１３ａを背面側から押圧変位させる構成としたが、この実施の形態２では、前記係合度合い調整手段として、前記係合部材１３をスクリューシャフト１０に対する接近・離間方向へ移動調整可能に前記ピックアップユニット８に取り付けたものである。このような係合部材１３の取付手段として、この実施の形態２では、当該係合部材１３の基端側に長穴１３ｃを設け、この長穴１３ｃを介して前記係合部材１３をピックアップユニット８に止めネジ１５で締め付け固定するように構成したものである。
【００２０】
このように構成した実施の形態２によれば、前記止めネジ１５を弛めて前記係合部材１３の全体をスライドさせることにより、スクリューシャフト１０のネジ溝に対する係合突起１３ｂの係合度合いを調整することができるので、その係合度合い調整後に前記止めネジ１５を締め付けることにより、前記実施の形態１と同様の効果が得られる。
【００２１】
実施の形態３．
図７はこの発明の実施の形態３によるディスク再生装置の要部を示す斜視図、図８は図７の要部断面図、図９は図８における係合部材の係合度合い調整状態を示す動作説明図であり、図１〜図６と同一部分および相当部分には同一符号を付して重複説明は省略する。
この実施の形態３では、ピックアップユニット８に基端部が固着されてスクリューシャフト１０側に延びる板状をなした係合部材１３の先端部下面に係合突起１３ｂを一体形成し、この係合突起１３ｂを前記スクリューシャフト１０のネジ溝に上方から係合させ、その係合度合い調整手段として、前記ネジ溝に対する係合突起１３ｂの係合方向に前記係合部材１３を上方から付勢する弾性部材１６と、この弾性部材１６による前記係合部材１３への付勢力を調整する付勢力調整手段１７とを備える構成としたものである。なお、前記係合度合い調整手段は、前記スクリューシャフト１０に対するピックアップガイド軸６の高さ方向への位置ずれ矯正手段を兼ねるものである。
【００２２】
前記弾性部材１６は、前記係合部材１３上に配置され当該係合部材１３を介して基端部がピックアップユニット８に固着された板バネからなっている。また、前記付勢力調整手段１７は、前記係合部材１３に上方から螺合した付勢力調整ネジからなり、この付勢力調整ネジ１７の頭部１７ａを前記係合部材１３と前記板バネ１６との間に介在させると共に、前記板バネ１６には前記付勢力調整ネジ１７を緊締・弛緩操作するための操作穴１６ａが設けられている。ここで、前記操作穴１６ａは、前記付勢力調整ネジ１７の頭部１７ａよりも小径に設定されて当該頭部１７ａが前記板バネ１６の下面に係合可能となっている。
【００２３】
次に動作について説明する。
スクリューシャフト１０に対してピックアップガイド軸６が高さ方向に傾き位置ずれしている場合、板バネ１６の操作穴１６ａを介して付勢力調整ネジ１７を上昇方向または下降方向に回動操作すると、その付勢力調整ネジ１７の上昇時には当該付勢力調整ネジ１７の頭部１７ａで板バネ１６が押し上げられ、前記付勢力調整ネジ１７の下降時には前記板バネ１６が弾性復帰動作することにより、前記スクリューシャフト１０に係合した係合部材１３に対する板バネ１６の付勢力または付勢反力によって、前記ピックアップガイド軸６の高さ方向の傾き位置ずれが矯正される。
【００２４】
また、前述のように付勢力調整ネジ１７の回動操作によって前記係合部材１３に対する板バネ１６の付勢力を調整することができるので、その付勢力調整によって、前記スクリューシャフト１０のネジ溝に対する係合突起１３ｂの係合度合いを調整することができる。
【００２５】
以上説明した実施の形態３によれば、板バネ１６の操作穴１６ａを介して付勢力調整ネジ１７を上昇方向または下降方向に回動操作するだけで、係合部材１３に対する板バネ１６の付勢力を調整することができ、その付勢力もしくは付勢反力によってピックアップガイド軸６の高さ方向の傾き位置ずれを矯正することができると共に、前記係合部材１３の係合突起１３ｂをスクリューシャフト１０のネジ溝に対して常に適正な係合状態に確保することができ、前記実施の形態１の場合と同様に、スクリューシャフト１０の負荷変動を小さく抑制することができ、低トルクモータ９によるスクリューシャフト１０の回転駆動によってピックアップユニット８の正確な送り動作を実現できるという効果がある。
【図面の簡単な説明】
【００２６】
【図１】この発明の実施の形態１によるディスク再生装置を天板除去状態で示す斜視図である。
【図２】図１中のディスク再生ユニットを示す斜視図である。
【図３】図２を裏側から見た斜視図である。
【図４】ピックアップ移動機構の要部を示す斜視図である。
【図５】ピックアップ移動機構の動作説明図である。
【図６】この発明の実施の形態２によるディスク再生装置の要部を示す斜視図である。
【図７】この発明の実施の形態３によるディスク再生装置の要部を示す斜視図である。
【図８】図７の要部断面図である。
【図９】図８における係合部材の係合度合い調整状態を示す動作説明図である。
【符号の説明】
【００２７】
１  装置筐体、１ａ  ディスク挿排口、２  ディスク搬送機構、３  再生ユニット、４  スピンドルモータ、５  ターンテーブル、６，７  ピックアップガイド軸、８  ピックアップユニット、９  低トルクモータ、１０  スクリューシャフト、１１，１２  ピックアップ調整機構、１３  係合部材、１３ａ  屈曲片部、１３ｂ  係合突起、１３ｃ  長穴、１４  調整ネジ、１５  止めネジ、１６  弾性部材。
【図１】
2007234108.tif 000003
【図２】
2007234108.tif 000004
【図３】
2007234108.tif 000005
【図４】
2007234108.tif 000006
【図５】
2007234108.tif 000007
【図６】
2007234108.tif 000008
【図７】
2007234108.tif 000009
【図８】
2007234108.tif 000010
【図９】
2007234108.tif 000011